(57)【要約】【課題】線材束を所定位置で分岐して形成された各種の分岐部を適切に結束して保持し、また、外径サイズの種々異なる線材束の分岐部の結束に適応することが可能で汎用性に優れ、コスト及び作業工数を低減することができる線材保持具を提供する。【解決手段】線材束を所定位置で分岐して形成されたＴ字型の分岐部２１を保持する線材保持具１１において、前記分岐部２１を構成する線材束２１ａ及び線材束２１ｃの外周に巻回して前記線材束を結束する可撓性バンド１７を有する複数の結束バンド部１２、１３と、該複数の結束バンド部１２、１３を連結して前記複数の結束バンド部１２、１３による分岐部２１の結束部位を相対的に定める可撓性部材からなる連結体１５とを備える。【選択図】        図２
2004166456.tif 000002
【特許請求の範囲】
【請求項１】
線材束を所定位置で分岐して形成された分岐部を保持する線材保持具において、前記分岐部を構成する線材束の外周に巻回して前記線材束を結束する可撓性バンドを有する複数の結束バンド部と、該複数の結束バンド部を連結して前記複数の結束バンド部による分岐部の結束部位を相対的に定める連結体とを備えることを特徴とする線材保持具。
【請求項２】
前記連結体が可撓性部材で構成されることを特徴とする請求項１記載の線材保持具。
【発明の詳細な説明】
【０００１】
【発明の属する技術分野】
本発明は、電線、管、ホース等の線材を集束した線材束を所定位置で分岐して形成された分岐部を結束して保持する線材保持具に関するものである。
【０００２】
【従来の技術】
車両用、電気通信用、流体輸送用等に使用される電線（光ファイバを含む）、管、ホース等の線材を集束した線材束を所定位置で分岐して分岐部を形成する場合、特に、車両内に配索されるワイヤーハーネスにおいては、大量の電線を集束した電線束を所定位置で分岐して必要とする本数の電線を各種の電気、電子部品等へ配索するために多数の分岐部が形成される。この場合、その分岐部において、電線束がたるんだり、ほどけたり、外力により位置ずれ又は変形を生じたりしないように分岐部の電線束をテープ巻き等により結束して分岐部が所定の形状を保持するようにしている。
【０００３】
ところが、前記テープ巻き等による結束方法では、分岐部における電線束等の線材束の結束作業が煩雑になり、工数および時間を要して能率的でないため、線材束を所定位置で分岐して形成された分岐部をテープレスで結束して保持する、例えば、図７（ａ）（ｂ）に示す線材保持具が提案されている（特許文献１参照）。
【０００４】
この線材保持具１は、図７（ａ）に示すように、ワイヤーハーネスを構成する電線束等の線材束を分岐して形成された分岐部２の中心から、例えば、三方へＴ字型に延在する線材束２ａ〜２ｃに対応してＴ字型に配置されたセパレータ３ａ〜３ｃを有する線材保持具本体３と、その中央に位置するセパレータ３ｃの一端にヒンジ４を介して設けられた板状の連結固定部５と、その連結固定部５において、線材保持具本体３の両側に位置するセパレータ３ａ、３ｂに対向する位置に設けられた係止穴６ａ、６ｂと、線材保持具本体３のセパレータ３ａ、３ｂの先端に設けられ、前記連結固定部５の係止穴６ａ、６ｂに挿入係止される係止爪７ａ、７ｂとを備えて構成される。なお、８は線材保持具本体３のセパレータ３ｃに分岐部２の中心に対応するように設けられ、線材保持具１を車体、電気機器等のパネル、壁等の支持部材に取り付けるための先端が矢尻状に突出するクリップである。
【０００５】
この線材保持具１を前記分岐部２に装着する場合には、線材保持具本体３の上に、その中心と分岐部２の中心がほぼ一致するように、また、線材保持具本体３の両側に位置するセパレータ３ａ、３ｂ間に分岐部２の中央に位置する線材束２ｃが挟まるようにして配置する。次いで、連結固定部５を図７（ａ）に示すようにヒンジ４を支点にして矢印Ａ方向に回動して閉じ、図７（ｂ）に示すように、セパレータ３ａ、３ｂの先端に設けられた係止爪７ａ、７ｂを連結固定部５の係止穴６ａ、６ｂに挿入係止することにより、線材保持具１を分岐部２に装着する。このようにして、分岐部２の線材束２ａ、２ｂを線材保持具本体３と連結固定部５との間に挟着することにより、分岐部２を結束して保持するようになっている。
【０００６】
【特許文献１】
特開平１０−９４１４８号公報（第３頁段落００１２乃至段落００１４、図１（ａ）（ｂ））
【０００７】
【発明が解決しようとする課題】
しかしながら、従来の線材保持具１は、連結固定部５を閉じたとき、線材保持具本体３と連結固定部５間に形成される穴径が変わらず一定なのに対して、線材束２ａ、２ｂの方は線材間に若干の隙間が形成されているため、外力の作用により縮径し易く、また、場所によって線材間の隙間の大きさが同じでないため、縮径量にばらつきが生じ易い。このため、線材束２ａ、２ｂを線材保持具本体３と連結固定部５との間に挟着しても、締付力が弱く、また不均等になって締め付け不足になり、分岐部２を適切に結束して保持することが困難になる。従って、小さな外力の付加によって線材保持具１と分岐部２間に相対滑りが生じて分岐部２の形状が崩れ、分岐部２を正しい分岐位置に保持して固定することができなくなるという問題がある。
【０００８】
また、分岐部２を構成する線材束２ａ、２ｂの外径サイズが小さ過ぎると、連結固定部５を閉じたとき、これら線材束２ａ、２ｂと線材保持具本体３及び連結固定部５との間に隙間が生じる。反対に、これら線材束２ａ、２ｂが大き過ぎると、連結固定部５を閉じて、線材保持具本体３と連結固定部５との間にこれら線材束２ａ、２ｂを挟着することが難しくなる。このように、線材束２ａ、２ｂの外径サイズが合わない場合には、線材束２ａ、２ｂに対する適切な締付力が得られず、分岐部２を結束して保持することができなくなるので、汎用性に乏しく、線材束２ａ、２ｂの外径に適応した線材保持具１を予め幾種類も多く製作しておく必要が生じ、コストが増大するほか、数ある線材保持具１の中から適応する線材保持具１を選択して装着する必要があるので、分岐部２に対する装着作業の工数が増大するという問題もある。
【０００９】
更に、分岐部２の中央に位置する線材束２ｃが両側の線材束２ａ、２ｂに対して傾斜した略Ｙ型の分岐部の場合には、中央の傾斜した線材束の支持が不安定になって分岐部が型崩れを起こし易いという問題もある。
【００１０】
本発明は上記課題を解決し、線材束を所定位置で分岐して形成された各種の分岐部を適切に結束して保持し、また、外径サイズの種々異なる線材束の分岐部の結束に適応することが可能で汎用性に優れ、コスト及び作業工数を低減することができる線材保持具を提供することを目的としている。
【００１１】
【課題を解決するための手段】
上記目的を達成するため、本発明の請求項１に記載された線材保持具は、線材束を所定位置で分岐して形成された分岐部を保持する線材保持具において、前記分岐部を構成する線材束の外周に巻回して前記線材束を結束する可撓性バンドを有する複数の結束バンド部と、該複数の結束バンド部を連結して前記複数の結束バンド部による分岐部の結束部位を相対的に定める連結体とを備えるものである。
【００１２】
このような構成によると、線材保持具の結束バンド部の可撓性バンドを分岐部の必要な線材束の外周に巻回して前記線材束を締め付けるので、可撓性バンドの締め付け量を調節することにより、結束バンド部の可撓性バンドを巻回することにより形成されるループ径を任意の大きさに大小変更することが可能である。
【００１３】
これにより、分岐部を構成する複数の線材束の線材間に隙間があるため外力の作用で縮径し易いものでも、また、線材間の隙間が均等でなく場所によって縮径量にばらつきが生じ易いものでも、これら線材束を締め付け不足を起こすことなく適切な締付力で均等に締め付けることが可能となり、分岐部を適切に結束して保持することができる。従って、小さな外力の付加によって線材保持具と分岐部間に相対滑りが生じたり、分岐部の形状が崩れたりするようなことがなく、分岐部を正しい分岐位置に保持して固定することができる。また、分岐部を構成する線材束の外径サイズが異なってもサイズ変更に十分対応することが可能である。
【００１４】
また、結束バンド部が連結体で連結されるので、分岐部の形状が例えばＴ字型から前記略Ｙ型の分岐部等のように変わり、結束バンド部による分岐部の複数の結束部位の前後、左右、又は上下方向の相対位置を変える必要が生じた場合には、線材保持具の一部品である連結体の形状を変えるか交換することにより、その設計変更に適応させることができる。従って、汎用性に優れ、分岐部を構成する線材束の外径サイズや分岐部の形状に適応した線材保持具を予め数多く製作しておく必要がなくなり、コストを低減することができる。
【００１５】
本発明の請求項２に記載された線材保持具は、請求項１記載の線材保持具において、前記連結体が可撓性部材で構成されるものである。このような構成によると、分岐部の形状が例えばＴ字型から略Ｙ型の分岐部等のように変わり、結束バンド部による分岐部の複数の結束部位の前後、左右、又は上下方向の相対位置を変える必要が生じた場合には、結束バンド部同士を連結した状態で、分岐部の相対位置の種々異なる所要の線材束における結束部位の外周に可撓性バンドを巻回して手際よく迅速に、且つ、均等な締付力で適切に締め付けることが可能になる。また、数ある線材保持具の中から適応する線材保持具を選択して装着する必要もなくなるので、分岐部に対する装着作業の工数を低減することもできる。更に、該連結体を線材束に沿わせることが可能になるので、結束バンド部の支持が安定して、結束バンド部による線材束の結束が強固になると共に、分岐部の線材束がばらけるのを確実に防止し、分岐部を保護することができるので好ましい。
【００１６】
【発明の実施の形態】
次に本発明の一実施形態の線材保持具を図１により詳細に説明する。この線材保持具１１は、図示のものでは２個の結束バンド部１２、１３と、これら結束バンド部１２、１３を横方向に連結する連結体１５とを備えた２連形の線材保持具である。
【００１７】
結束バンド部１２、１３はそれぞれゴム、プラスチック材等からなる可撓性バンド１７の基部に、該バンド１７の自由端側が戻り方向の移動が拘束されるように挿入係止されるバンド挿入係止ブロック１９を設け、図２に示すようなワイヤーハーネスを構成する電線を集束した電線束等の線材束を所定位置で、例えば、Ｔ字型に分岐して形成された分岐部２１の外周に結束バンド部１２、１３の可撓性バンド１７が巻回可能なように構成されている。更に詳細に説明すると、前記分岐部２１の中心から三方にＴ字型に延在する線材束２１ａ〜２１ｃのうち、所要の線材束、即ち、分岐部２１の中央に位置する線材束２１ｃの外周に結束バンド部１３の可撓性バンド１７が、また、その両側に位置する線材束２１ａ、２１ｂから選択された一方の線材束２１ａにおける結束部位の外周に結束バンド部１２の可撓性バンド１７が巻回可能なように構成されている。
【００１８】
結束バンド部１２、１３における可撓性バンド１７の自由端側の外面には、長手方向に沿って多数の連続する係止凹部（係止溝部）、係止凸部、又は、細長い貫通穴（窓）等で構成される係止部２３が設けられている。
【００１９】
バンド挿入係止ブロック１９は、図示のものは矩形状筒体で形成され、該筒体のバンド挿入穴２０に一側から前記可撓性バンド１７の自由端側が挿入され、該ブロック１９の反対側から引張り出せるようになっている。なお、該ブロック１９は、図示省略するが、ブロック本体の一方面に、可撓性バンド１７を挿入案内するコ字状で開口縁をバンド外れ防止のために少し内側に折り曲げた案内溝を設けて形成され、その案内溝に可撓性バンド１７の自由端側が挿入されて該ブロック１９の反対側から引張り出せるようにしたもの等でもよい。
【００２０】
また、バンド挿入係止ブロック１９におけるバンド挿入穴２０の入口側内壁には可撓性バンド１７に設けられた係止部２３に係合する係止体２５が突設され、前記可撓性バンド１７の自由端側がバンド挿入係止ブロック１９のバンド挿入穴２０に挿入されたとき、その係止体２５が係止部２３に係合し、可撓性バンド１７の戻り方向の移動が拘束されるようになっている。
【００２１】
連結体１５は結束バンド部１２、１３を連結してこれら結束バンド部１２、１３による分岐部２１の結束部位を相対的に定めるもので、所定形状の剛性部材で構成してもよいが、本実施形態においては、可撓性部材で構成される。可撓性部材はゴム、プラスチック材等の可撓性材料で出来た薄肉の帯条片からなり、図示するものでは、両結束バンド部１２、１３の可撓性バンド１７の基部側に、これら結束バンド部１２、１３が相互に移動可能なように可撓性バンド１７と一体に横方向に連結されている。なお、可撓性部材は、可撓性を有しない複数の剛性帯条片相互をヒンジ等の屈曲自在な可撓性治具で直列に接続して全体として可撓性を有するように形成したもの等でもよい。連結体１５は可撓性バンド１７と別体に形成し、ねじ、ボルト等の固定部材（図示せず）で他の異なる寸法又は形状の連結体と容易に交換できるように連結するようにしてもよい。また、連結体１５は両結束バンド部１２、１３のバンド挿入係止ブロック１９側に横方向に連結するようにしてもよい。更に、連結体１５はその構成材料自体に伸縮性を持たせるか、又は、波形形状（蛇腹形状）にして伸縮性を持たせた可撓性部材で構成するようにしてもよい。このように連結体１５に伸縮性を更に持たせると、結束バンド部１２、１３の相対移動の自由度が高まり、線材保持具１１の装着性が向上するので好ましい。連結体１５の長さは線材保持具１１を分岐部２１に装着して結束する分岐部の形状、大きさ等に応じて適宜設定される。本実施形態の線材保持具１１は以上のように構成されている。
【００２２】
次に、上記構成の線材保持具１１の使用例を図２乃至図５に基づいて説明する。図２（ａ）は図１の線材保持具１１をＴ字型の分岐部２１に装着し、この分岐部２１を結束してこれを結束、保持した状態を示正面図、図２（ｂ）は図２（ａ）のＸ−Ｘ線矢視断面図である。なお、この線材保持具１１は可撓性部材からなる連結体１５が使われている。
【００２３】
Ｔ字型の分岐部２１は、前記したように、ワイヤーハーネスを構成する電線束等の線材束を所定位置で分岐する際、分岐部２１の中心から三方に線材束２１ａ〜２１ｃがＴ字型に延在するように分岐して形成されたものである。このようなＴ字型の分岐部２１に線材保持具１１を装着する場合の一例として、先ず、線材保持具１１の結束バンド部１２が分岐部２１の中央に位置する線材束２１ｃの左側に位置する線材束２１ａの近傍に、また、結束バンド部１３が中央に位置する線材束２１ｃの近傍に位置するように、線材保持具１１を位置決め配置する。
【００２４】
次に、結束バンド部１２の可撓性バンド１７を線材束２１ａの結束部位の外周に巻回して、可撓性バンド１７の自由端側をバンド挿入係止ブロック１９のバンド挿入穴２０に挿入する。そして、該ブロック１９から引張り出して線材束２１ａを締め付けると共に、バンド挿入係止ブロック１９側の係止体２５を可撓性バンド１７側の係止部２３に係合することにより係止し、可撓性バンド１７の戻り方向の移動を拘束する。
【００２５】
次に、両結束バンド部１２、１３を連結する連結体１５の中間部位を、分岐部２１の線材束２１ａに対し直交するように配置された分岐部２１の中央に位置する線材束２１ｃの方に９０度折り曲げる。次いで、結束バンド部１３の可撓性バンド１７を線材束２１ｃの結束部位の外周に巻回して、可撓性バンド１７の自由端側をバンド挿入係止ブロック１９のバンド挿入穴２０に挿入する。そして、該ブロック１９から引張り出して線材束２１ａを締め付けると共に、バンド挿入係止ブロック１９側の係止体２５を可撓性バンド１７側の係止部２３に係合することにより係止し、可撓性バンド１７の戻り方向の移動を拘束する。このようにして、図２に示すように、線材保持具１１をＴ字型の分岐部２１に装着してこれを結束し所定形状に保持する。
【００２６】
図３は前記線材保持具１１をＴ字型の分岐部２１に装着してこれを結束して保持した状態の変形例を示す正面図である。この場合には、前記分岐部２１の中心から三方にＴ字型に延在する線材束２１ａ〜２１ｃのうち、中央に位置する線材束２１ｃを除き、その両側に位置する線材束２１ａ、２１ｂの外周に、線材保持具１１の結束バンド部１３、１２の可撓性バンド１７を巻回して締め付けるようにしたものである。
【００２７】
更に詳細に説明すると、先ず、線材保持具１１の連結体１５が分岐部２１の中心近傍に位置し、結束バンド部１２が線材束２１ｂ側に、また、結束バンド部１３が線材束２１ａ側に位置するように、線材保持具１１を位置決め配置する。
【００２８】
次に、結束バンド部１２、１３のうち、例えば、結束バンド部１３の可撓性バンド１７を線材束２１ａの結束部位の外周に巻回して、可撓性バンド１７の自由端側をバンド挿入係止ブロック１９に挿入係止することにより線材束２１ａを締め付ける。次いで、結束バンド部１２の可撓性バンド１７を線材束２１ｂの結束部位の外周に巻回して、可撓性バンド１７の自由端側をバンド挿入係止ブロック１９に挿入係止することにより線材束２１ｂを締め付ける。このようにして、図３に示すように、線材保持具１１をＴ字型の分岐部２１に装着してこれを結束し所定形状に保持する。
【００２９】
図４は前記Ｔ字型の分岐部２１の中央に位置する線材束２１ｃが両側の線材束２１ａ、２１ｂに対して傾斜（図示のものは線材束２１ｂに対して６０度傾斜）した略Ｙ型の分岐部２１に前記線材保持具１１を装着して、分岐部２１を結束して保持した状態を示す正面図である。
【００３０】
このような略Ｙ型の分岐部２１に線材保持具１１を装着する場合には、先ず、線材保持具１１の結束バンド部１２が分岐部２１の線材束２１ａの近傍に、また、結束バンド部１３が線材束２１ｂと線材束２１ｃの分岐点から少し線材束２１ｂの方向（線材束２１ａから遠ざかる方向）に移動したところに位置するように、線材保持具１１を位置決め配置する。
【００３１】
次に、結束バンド部１２の可撓性バンド１７を線材束２１ａの結束部位の外周に巻回して、可撓性バンド１７の自由端側をバンド挿入係止ブロック１９に挿入係止することにより線材束２１ａを締め付ける。
【００３２】
次に、連結体１５の中間部位を、分岐部２１の線材束２１ａ、２１ｂに対して傾斜して配置された分岐部２１の中央に位置する線材束２１ｃの方に線材束２１ｃの傾斜角度に合わせて折り曲げる。次いで、結束バンド部１３の可撓性バンド１７を線材束２１ｃの結束部位の外周に巻回して、可撓性バンド１７の自由端側をバンド挿入係止ブロック１９に挿入係止することにより線材束２１ｃを締め付ける。このようにして、図４に示すように、線材保持具１１をＴ字型の分岐部２１に装着してこれを結束し所定形状に保持する。
【００３３】
図５は前記略Ｙ型の分岐部２１を分岐部中心で左右対称に組み合わせた対称略Ｙ型の分岐部２１に前記線材保持具１１を装着して、該分岐部２１を結束して保持した状態を示す正面図である。このような分岐部２１に線材保持具１１を装着する場合には、前記線材保持具１１を２個使用し、一方の線材保持具１１を該分岐部１１の左側分岐部分に装着し、他方の線材保持具１１を右側分岐部分に装着することにより行う。各分岐部分に線材保持具１１を装着する方法は、前記図４に示す分岐部２１に線材保持具１１を装着する方法と実質同一であり、それと同様な方法で行えばよいので説明を省略する。
【００３４】
図６は本発明に係る線材保持具１１の他の実施形態を示す一部省略斜視図である。この線材保持具１１は、３個の結束バンド部１２、１３、１４と、これら結束バンド部１２、１３、１４を横方向に連結する２個の連結体１５とを備えた３連形の線材保持具であり、その他の構成は、図１、図２（ａ）（ｂ）に示す２連形の線材保持具１１と同じなので説明を省略する。このような線材保持具１１は分岐部を構成する線材束の分岐数が増えた場合とか、分岐されたすべての線材束を結束して結束を強化する場合等に有効である。
【００３５】
なお、線材保持具１１は必要に応じて４連形以上の多連形の構成にすることが可能である。また、分岐部２１の形状は、Ｔ字型、略Ｙ型、対称略Ｙ型の他に、Ｙ型その他の形状のものを結束して保持する場合にも適用可能である。
【００３６】
【発明の効果】
以上述べたように、本発明の請求項１に記載された線材保持具によると、線材束を所定位置で分岐して形成された分岐部を保持する線材保持具において、前記分岐部を構成する線材束の外周に巻回して前記線材束を結束する可撓性バンドを有する複数の結束バンド部と、該複数の結束バンド部を連結して前記複数の結束バンド部による分岐部の結束部位を相対的に定める連結体とを備え、線材保持具の結束バンド部の可撓性バンドを分岐部の必要な線材束の外周に巻回し、前記線材束を締め付けるようにしたものであるから、可撓性バンドの締め付け量を調節することにより、結束バンド部の可撓性バンドを巻回することにより形成されるループ径を任意の大きさに大小変更することが可能である。
【００３７】
これにより、分岐部を構成する複数の線材束の線材間に隙間があるため外力の作用で縮径し易いものでも、また、線材間の隙間が均等でなく場所によって縮径量にばらつきが生じ易いものでも、これら線材束を締め付け不足を起こすことなく適切な締付力で均等に締め付けることが可能となり、分岐部を適切に結束して保持することができる。従って、小さな外力の付加によって線材保持具と分岐部間に相対滑りが生じたり、分岐部の形状が崩れたりするようなことがなく、分岐部を正しい分岐位置に保持して固定することができる。また、分岐部を構成する線材束の外径サイズが異なってもサイズ変更に十分対応することが可能である。
【００３８】
また、結束バンド部が連結体で連結されるので、分岐部の形状が例えばＴ字型から前記略Ｙ型の分岐部等のように変わり、結束バンド部による分岐部の複数の結束部位の前後、左右、又は上下方向の相対位置を変える必要が生じた場合には、線材保持具の一部品である連結体の形状を変えるか交換することにより、その設計変更に適応させることができる。従って、汎用性に優れ、分岐部を構成する線材束の外径サイズや分岐部の形状に適応した線材保持具を予め数多く製作しておく必要がなくなり、コストを低減することができる。
【００３９】
本発明の請求項２に記載された線材保持具は、請求項１記載の線材保持具において、前記連結体が可撓性部材で構成されるものであるから、分岐部の形状が例えばＴ字型から略Ｙ型の分岐部等のように変わり、結束バンド部による分岐部の複数の結束部位の前後、左右、又は上下方向の相対位置を変える必要が生じた場合には、結束バンド部同士を連結した状態で、分岐部の相対位置の種々異なる所要の線材束における結束部位の外周に可撓性バンドを巻回して手際よく迅速に、且つ、均等な締付力で適切に締め付けることが可能になる。また、数ある線材保持具の中から適応する線材保持具を選択して装着する必要もなくなるので、分岐部に対する装着作業の工数を低減することもできる。更に、該連結体を線材束に沿わせることが可能になるので、結束バンド部の支持が安定して、結束バンド部による線材束の結束が強固になると共に、分岐部の線材束がばらけるのを確実に防止し、分岐部を保護することができるので好ましい。
【図面の簡単な説明】
【図１】本発明に係る線材保持具の一実施形態を示す斜視図である。
【図２】（ａ）は図１の線材保持具をＴ字型の分岐部に装着して、これを結束、保持した状態を示す正面図、（ｂ）は（ａ）のＸ−Ｘ線矢視断面図である。
【図３】前記線材保持具をＴ字型の分岐部に装着して、これを結束して保持した状態の変形例を示す正面図である。
【図４】前記線材保持具を略Ｙ型の分岐部に装着して、これを結束して保持した状態を示す正面図である。
【図５】前記線材保持具を対称略Ｙ型の分岐部に装着して、これを結束して保持した状態を示す正面図である。
【図６】本発明に係る線材保持具の他の実施形態を示す一部省略斜視図である。
【図７】従来の線材保持具を示すもので、（ａ）は線材束の分岐部を結束する前の状態の斜視図、（ｂ）は分岐部を結束した状態の斜視図である。
【符号の説明】
１１        線材保持具
１２        結束バンド部
１３        結束バンド部
１４        結束バンド部
１５        連結体
１７        可撓性バンド
１９        バンド挿入係止ブロック
２０        バンド挿入穴
２１        分岐部
２１ａ      線材束
２１ｂ      線材束
２１ｃ      線材束
２３        係止部
２５        係止体
【図１】
2004166456.tif 000003
【図２】
2004166456.tif 000004
【図３】
2004166456.tif 000005
【図４】
2004166456.tif 000006
【図５】
2004166456.tif 000007
【図６】
2004166456.tif 000008
【図７】
2004166456.tif 000009